(57)【特許請求の範囲】
【請求項１】
電子デバイス用のボタン構造であって、前記電子デバイスが、外面および内面を有するハウジングを備え、前記外面および前記内面が、貫通開口部によって接続されており、
前記ボタン構造が、
押しボタンと、スイッチアセンブリと、を備え、
前記スイッチアセンブリが、スイッチおよびコネクタを備え、前記スイッチおよび前記コネクタが連結されるように構成され、前記スイッチが、前記スイッチの中心軸線に少なくとも部分的に沿って延びる接続手段を備え、前記接続手段が、前記コネクタの少なくとも一部を収容するように構成され、
前記スイッチが、前記外面からの方向で前記貫通開口部に挿入されるように構成され、
前記コネクタが、前記スイッチアセンブリが前記ハウジングに固定されるように前記スイッチに接続されるよう構成される、ボタン構造。
【請求項２】
前記コネクタが、前記ボタン構造が前記外面に向かう方向に前記貫通開口部から出るのを防止するストッパ手段を備える、請求項１に記載のボタン構造。
【請求項３】
前記コネクタが、前記内面に当接して、前記貫通開口部の外側に配置されるように構成される、請求項１または２に記載のボタン構造。
【請求項４】
前記内面と前記コネクタとの間に配置される圧縮手段をさらに備える、請求項１から３のいずれか一項に記載のボタン構造。
【請求項５】
請求項１から４のいずれか一項に記載のボタン構造を収容するように構成される電子デバイスであって、前記電子デバイスが、外面および内面を有するハウジングを備え、前記外面および前記内面が、貫通開口部によって接続される、電子デバイス。
【請求項６】
請求項１から４のいずれか一項に記載のボタン構造を電子デバイスに設ける方法であって、
前記電子デバイスが、外面および内面を有するハウジングを備え、前記外面および前記内面が、貫通開口部によって接続されており、
前記方法が、
ａ）前記押しボタンと前記スイッチとを接続するステップと、
ｂ）前記外面からの方向で前記スイッチを前記貫通開口部に挿入するステップと、
ｃ）前記スイッチが前記貫通開口部の方向への移動によって前記コネクタから分離され得ないように前記コネクタと前記スイッチとを接続するステップと、
を含む、方法。
【請求項７】
ステップｃ）が、
ｃ１１）前記内面からの方向で前記コネクタを、前記スイッチ内に延びるスロットに挿入するステップと、
ｃ１２）前記スイッチが前記貫通開口部から取り外され得ないように前記コネクタを前記スロットと連結するステップと、
を含む、請求項６に記載の方法。
【請求項８】
ステップｃ）が、
ｃ２１）前記コネクタが前記内面に当接し、前記ハウジングから前記コネクタを取り外さなければ前記スイッチが前記貫通開口部から取り外され得ないように、前記貫通開口部に対して垂直な方向で少なくとも１つのスリットと少なくとも１つのピンとを連結するステップ
を含む、請求項６に記載の方法。
【請求項９】
スイッチおよびコネクタを備えるスイッチアセンブリであって、前記スイッチおよび前記コネクタが連結されるように構成され、前記スイッチが、前記スイッチの中心軸線に少なくとも部分的に沿って延びる接続手段を備え、前記接続手段が、前記コネクタの少なくとも一部を収容するように構成され、
前記接続手段が、前記中心軸線の方向に突出する少なくとも１つのピンを備え、前記ピンが、増大された断面を有する端部を備え、
前記コネクタが、少なくとも１つの部分的に開口端のスリットを備え、前記スリットが、前記中心軸線に対して垂直な方向で前記ピンの前記端部と解放可能に連結され、前記中心軸線の前記方向では前記ピンと解放不可能に連結されるように構成される、スイッチアセンブリ。
【請求項１０】
前記スイッチが、前記中心軸線の方向への移動によって前記コネクタから分離され得ない、請求項９に記載のスイッチアセンブリ。
【請求項１１】
クラッシュリブが、前記スイッチの外周から突出し、前記クラッシュリブが、前記スイッチと開口部との間の締まり嵌めをもたらすように構成される、請求項９または１０に記載のスイッチアセンブリ。
【請求項１２】
前記スイッチが、前記スイッチの外周を少なくとも部分的に覆うように構成される封止手段を備える、請求項９から１１のいずれか一項に記載のスイッチアセンブリ。
【発明の詳細な説明】
【技術分野】
【０００１】
本開示は、電子デバイス用のスイッチアセンブリおよびそのようなスイッチアセンブリを備えるボタン構造に関する。
【背景技術】
【０００２】
電子デバイスの部品は、このようなデバイスの内部がほこりまたは水の侵入から保護されるように設計されるのと同時に、使用するためには可能な限り空間、時間、およびコストの効率が高くなければならない。例えば、押しボタンは、対応するねじ穴の必要な存在により侵入のリスクを増加させるねじによって電子デバイスのハウジングに取り付けられる場合がある。
【０００３】
ボタンが相互接続フランジによってボタン保持体に接続される既存の解決策は、ボタンが使用者によって押されたときにボタン保持体に対して移動することを可能にする。ボタン保持体は、ハウジングの内部から延びるねじによって電子デバイスのハウジングに接続され、ボタンには封止要素が設けられる。
【０００４】
このような解決策にはいくつかの欠点がある。第１に、いくつかの小さい部品の存在により、製造および組み立てに時間がかかる。第２に、これらの複数の部品がすべて、非常に空間を浪費することになる。第３に、より多数の部品および組み立てステップは、押しボタンと他の部品との間の大きい公差の累計をもたらし、押しボタンの触覚特性を損なう。
【発明の概要】
【０００５】
上で確認された欠点の少なくとも一部に対処するスイッチアセンブリおよびボタン構造を提供することが目的である。
【０００６】
前述のおよび他の目的は、独立請求項の特徴によって達成される。さらなる実施の形態は、従属請求項、明細書、および図から明らかになる。
【課題を解決するための手段】
【０００７】
第１の態様によれば、スイッチおよびコネクタを備えるスイッチアセンブリであって、スイッチおよびコネクタが連結されるように構成され、スイッチが、スイッチの中心軸線に少なくとも部分的に沿って延びる接続手段を備え、接続手段が、コネクタの少なくとも一部を収容するように構成される、スイッチアセンブリが提供される。このような解決策は、２つの主要な部品、すなわちスイッチ部品およびコネクタ部品を連結するのみの簡単なステップにより、迅速な上に安定した組み立てをもたらす。少数の部品は、電子デバイス内のより小さい空間要件につながる。さらに、公差の累計が低減され、スイッチアセンブリに対応する押しボタンの触覚特性が改善される。
【０００８】
スイッチの中心軸線Ｃは、スイッチ本体の両方の自由端の間に、すなわち、スイッチアセンブリが取り付けられる貫通開口部の中心軸線にも対応する方向に延びる。これは、スイッチアセンブリが電子デバイスに取り付けられる場合、電子デバイスの幅の方向に対応し得る。したがって、第１の垂直軸線は、電子デバイスの高さの方向に延び、第２の垂直軸線は、電子デバイスの厚さの方向に延びる。それはまた、電子デバイスの高さの方向に対応し得る。この場合、第１の垂直軸線は、電子デバイスの幅の方向に延び、第２の垂直軸線は、電子デバイスの厚さの方向に延びる。
【０００９】
第１の態様の第１の可能な実施の形態では、スイッチは、中心軸線の方向への移動によってコネクタから分離され得ない。したがって、安定した接続が維持されて、スイッチが、それが取り付けられた電子デバイスから分離されるのが妨げられる。
【００１０】
第１の態様の第２の可能な実施の形態では、
接続手段は、少なくとも１つのスロットを備える。この解決策は、従来技術と比較して大幅に小さい空間を必要とする。
【００１１】
第１の態様の第３の可能な実施の形態では、接続手段は、スロットから延びる少なくとも１つの楔形の溝をさらに備え、溝は、中心軸線の方向にテーパとされ、コネクタは、少なくとも１つの対応する楔形の凸部を備える。このようにして、凸部は、スロットおよび溝に容易に挿入された上で、コネクタがスイッチから容易に取り外され得ないように連結され得る。
【００１２】
第１の態様の第４の可能な実施の形態では、凸部は、楔形の溝と連結されるように構成される弾性接触ブレードを備える。
【００１３】
第１の態様の第５の可能な実施の形態では、接続手段は、中心軸線の方向に突出する少なくとも１つのピンを備え、ピンは、増大された断面を有する端部を備え、コネクタは、少なくとも１つの部分的に開口端のスリットを備え、スリットは、中心軸線に対して垂直な方向でピン端部と解放可能に連結され、中心軸線の方向ではピンと解放不可能に連結されるように構成される。このようにして、コネクタは、スイッチに容易かつ解放可能に接続され得る。
【００１４】
第１の態様の第６の可能な実施の形態では、クラッシュリブが、スイッチの外周から突出する。これは、スイッチとそれが取り付けられる開口部との間の締まり嵌めをもたらす。
【００１５】
第１の態様の第７の可能な実施の形態では、接続手段および／またはコネクタは、少なくとも１つの凹部を備え、コネクタおよび／またはスロットは、それに対応して少なくとも１つの凸部を備え、凸部は、凹部と連結されるように構成される。
【００１６】
第１の態様の第８の可能な実施の形態では、スイッチは、スイッチの外周を少なくとも部分的に覆うように構成される封止手段を備え、これにより、デバイスは防水性となることが可能になる。
【００１７】
第２の態様によれば、電子デバイス用のボタン構造であって、電子デバイスが、外面および内面を有するハウジングを備え、面が、貫通開口部によって接続されており、ボタン構造が、押しボタンと、上記によるスイッチアセンブリと、を備え、スイッチが、外面からの方向で開口部に挿入されるように構成され、コネクタが、スイッチアセンブリがハウジングに固定されるようにスイッチに接続されるよう構成される、ボタン構造が提供される。これは、２つの主要な部品、すなわちスイッチ部品およびコネクタ部品を連結するのみの簡単なステップによる迅速な上に安定した解決策である。さらに、コネクタは、電気的接続を提供し、スイッチを電子デバイスのハウジングに固定するという二重の機能を有する。少数の部品は、電子デバイス内のより小さい空間要件につながる。加えて、公差の累計が低減され、スイッチアセンブリに対応する押しボタンの触覚特性が改善される。
【００１８】
第２の態様の第１の可能な実施の形態では、コネクタは、中心軸線に少なくとも部分的に沿って延びるスロットの内側に少なくとも部分的に配置されるように構成される。この解決策は、従来技術より大幅に少ない空間の浪費のものである。
【００１９】
第２の態様の第２の可能な実施の形態では、スイッチは、スロットから延びる少なくとも１つの楔形の溝をさらに備え、溝は、中心軸線の方向にテーパとされ、コネクタは、少なくとも１つの対応する楔形の凸部をさらに備える。これは、凸部が、対応するスロットおよび溝に容易に挿入された上で、コネクタがスイッチから容易に分離され得ないように連結されることを可能にする。
【００２０】
第２の態様の第３の可能な実施の形態では、コネクタは、ボタン構造が外面に向かう方向に開口部から出るのを防止するストッパ手段を備える。
【００２１】
第２の態様の第４の可能な実施の形態では、クラッシュリブが、スイッチの外周から突出し、クラッシュリブは、スイッチと開口部との間の締まり嵌めをもたらすように構成される。
【００２２】
第２の態様の第５の可能な実施の形態では、コネクタは、内面に当接して、開口部の外側に配置されるように構成される。
【００２３】
第２の態様の第６の可能な実施の形態では、スイッチは、中心軸線の方向に突出する少なくとも１つのピンを備え、ピンは、増大された断面を有する端部を備え、コネクタは、少なくとも１つの部分的に開口端のスリットを備え、スリットは、中心軸線に対して垂直な方向でピンと解放可能に連結され、中心軸線の方向ではピンと解放不可能に連結されるように構成される。このようにして、コネクタは、スイッチに容易かつ解放可能に接続され得る。
【００２４】
第２の態様の第７の可能な実施の形態では、ボタン構造は、内面とコネクタとの間に配置される圧縮手段をさらに備える。圧縮手段は、電子デバイスの内部に向かう内向きの方向においてコネクタ、したがってスイッチに一定の力を与える。
【００２５】
第３の態様によれば、上記によるボタン構造を収容するように構成される電子デバイスであって、電子デバイスが、外面および内面を有するハウジングを備え、面が、貫通開口部によって接続されており、ボタン構造が、スイッチおよびコネクタを備え、スイッチが、貫通開口部に挿入されるように構成され、コネクタが、スイッチが貫通開口部から外の方向への移動によってコネクタから分離され得ないようにスイッチと連結されるように構成される、電子デバイスが提供される。この解決策は、押しボタンとスイッチとの間の公差の累計を低減し、従って、押しボタンがスイッチと完全に中心合わせされていなくても押しボタンの触覚性を改善する。
【００２６】
第３の態様の第１の可能な実施の形態では、スイッチは、スロットと、スロットから延びる少なくとも１つの楔形の溝と、を備え、コネクタは、楔形の溝と連結されるように構成される少なくとも１つの弾性接触ブレードを備える。これは、スイッチがコネクタに容易に接続され、その上でそれらが容易に分離され得ないように２つを連結することを可能にする。
【００２７】
第３の態様の第２の可能な実施の形態では、スイッチは、増大された断面を有する端部が設けられる少なくとも１つのピンを備え、コネクタは、少なくとも１つの部分的に開口端のスリットを備え、スリットは、貫通開口部に対して垂直な方向でピン端部と解放可能に連結されるように構成される。このようにして、コネクタは、スイッチに容易かつ解放可能に接続され得る。
【００２８】
第４の態様によれば、上記によるボタン構造を電子デバイスに設ける方法であって、電子デバイスが、外面および内面を有するハウジングを備え、面が、貫通開口部によって接続されており、
本方法が、押しボタンとスイッチとを接続するステップと、外面からの方向でスイッチを開口部に挿入するステップと、スイッチが開口部の方向への移動によってコネクタから分離され得ないようにコネクタとスイッチとを接続するステップと、を含む、方法が提供される。このような方法は、２つの主要な部品、すなわちスイッチ部品およびコネクタ部品を連結するのみの簡単さにより、迅速な上に安定した組み立てをもたらす。
【００２９】
第４の態様の第１の可能な実施の形態では、最後のステップは、内面からの方向でコネクタを、スイッチ内に延びるスロットに挿入するステップであって、スイッチが開口部から取り外され得ないようにコネクタをスロットと連結する、ステップを含む。これは、スイッチがコネクタに容易に接続され、その上でそれらが容易に分離され得ないように２つを連結することを可能にする。
【００３０】
第４の態様の第２の可能な実施の形態では、最後のステップは、コネクタが内面に当接し、ハウジングからコネクタを取り外さなければスイッチが開口部から取り外され得ないように、開口部に対して垂直な方向で少なくとも１つのスリットと少なくとも１つのピンとを連結するステップを含む。このようにして、コネクタは、スイッチに容易かつ解放可能に接続され得る。
【００３１】
これらおよび他の態様は、以下で説明される実施形態から明らかになる。
【００３２】
本開示の以下の詳細な部分では、態様、実施形態、および実施態様が、図面に示されている例示的な実施形態を参照してより詳細に説明される。
【図面の簡単な説明】
【００３３】
【図１ａ】本発明の一実施形態によるボタン構造および部分的なハウジングの分解立面図を示す。
【図１ｂ】本発明の一実施形態によるコネクタの立面図を示す。
【図１ｃ】図１ｂに示されている実施形態の分解立面図を示す。
【図２ａ】本発明の別の実施形態によるスイッチの立面正面図を示す。
【図２ｂ】図２ａに示されている実施形態の立面背面図を示す。
【図３】図２ａに示されている実施形態の分解立面図を示している。
【図４ａ】ボタン構造がハウジングから分離された状態の、図１ａに示されているボタン構造およびハウジングの断面図を示す。
【図４ｂ】ボタン構造がハウジングの開口部に挿入された状態の、図４ａに示されているボタン構造およびハウジングの断面図を示す。
【図５ａ】コネクタがスイッチおよびハウジングから分離された状態の、図１ａに示されているボタン構造およびハウジングのさらなる断面図を示す。
【図５ｂ】コネクタがスイッチに挿入された状態の、図５ａに示されているボタン構造およびハウジングの断面図を示す。
【図６】本発明のさらに別の実施形態によるボタン構造および部分的なハウジングの分解立面図を示す。
【図７ａ】図６に示されている実施形態のスイッチの立面正面図を示す。
【図７ｂ】図７ａに示されている実施形態の分解立面図を示す。
【図８】図６に示されている実施形態によるコネクタの立面背面図を示す。
【図９】ハウジングの内側から見た、コネクタがスイッチおよびハウジングから分離された状態の、図６に示されているボタン構造および部分的なハウジングの立面図を示す。
【発明を実施するための形態】
【００３４】
図１は、電子デバイスのハウジング７の一部と、スイッチ２およびコネクタ３を備えるスイッチアセンブリ１と、押しボタン１０と、を備える実施形態を示す。部品は、機械的に接続されるように適合され、スイッチ２はまた、コネクタ３に電気的に接続されるように適合される。これは、以下でより詳細に説明される。
【００３５】
図２、図３、および図７は、スイッチの実施形態を示し、スイッチは、スイッチ本体２ａ、スイッチ接点２ｂ、およびスイッチ接点カバー２ｃを備える。スイッチはまた、封止手段５を備え得る。
【００３６】
一実施形態では、封止手段５は、スイッチ２の外周を少なくとも部分的に覆うように構成される。封止手段５は、外周に延びる隆起部を有するガスケットを備え得る。封止手段／ガスケット５は、別個のゴム部品であってもよく、または液体射出成形によってスイッチ本体２ａ、好ましくは第２のスイッチ本体部上に直接成形されてもよい。
【００３７】
スイッチ本体２ａは、プラスチック材料を含み、好ましくはインサート成形によって製造される。スイッチ本体２ａは、スイッチ本体２ａの中心軸線Ｃに沿って配置される第１のスイッチ本体部および第２のスイッチ本体部の２つの部分から構成される。
【００３８】
一実施形態では、第１のスイッチ本体部は、第２のスイッチ本体部の断面より大きい断面を有する。すなわち、スイッチの側面断面図は、本質的にＴ字状のスイッチ本体２ａを示し、一方、正面または背面断面図は、第１のスイッチ本体部または第２のスイッチ本体部を通って切断が行われたかどうかに応じて、１つまたは２つの本質的に矩形の表面領域を示す。
【００３９】
一実施形態ではドームを備えるスイッチ接点２ｂは、第１のスイッチ本体部の自由端に配置されるスロットに配置されるように構成される。スイッチ接点カバー２ｃは、例えばスイッチ接点カバー２ｃを上述の自由端にレーザ溶接または接着することによって、スイッチ接点／ドーム２ｂおよびスロットを覆うように設けられる。
【００４０】
スイッチアセンブリ１は、連結されるように構成されるスイッチ２およびコネクタ３を備える。スイッチ２は、スイッチの中心軸線Ｃに少なくとも部分的に沿って延びる接続手段４を備え、接続手段４は、コネクタ３の少なくとも一部を収容するように構成される。
【００４１】
スイッチ２の中心軸線Ｃは、スイッチ接点カバー２ｃと第２のスイッチ本体の自由端との間に、すなわち、ハウジング７の貫通開口部９の中心軸線に対応する方向に延びる。これは、スイッチアセンブリが電子デバイスに取り付けられる場合、電子デバイスの幅の方向に対応する。第１の垂直軸線は、電子デバイスの高さの方向に延び、第２の垂直軸線は、電子デバイスの厚さの方向に延びる。図１および図６は、電子デバイスの厚さを示しているが、高さおよび幅の一部のみを示している。
【００４２】
一実施形態では、スイッチ２には、スイッチ２の外周から突出するクラッシュリブが設けられる。
【００４３】
一実施形態では、スイッチ２は、中心軸線Ｃの方向への移動によってコネクタ３から分離され得ない。すなわち、一旦スイッチ２およびコネクタ３が接続されたら、スイッチ２は、それらをそれぞれ反対の方向に引っ張ることによってコネクタ３から取り外され得ない。接続手段４および／またはコネクタ３は、少なくとも１つの凹部を備え、コネクタ３および／または接続手段４は、それに対応して少なくとも１つの凸部を備え、凸部は、凹部と連結されるように構成される。
【００４４】
一実施形態では、接続手段４は、スイッチ２の中心軸線Ｃに沿って、少なくともスイッチ本体２ａの第２の部分を通って延びる。接続手段４は、スイッチ接点／ドーム２ｂまで延びるように構成され、これにより、スイッチ接点は、上述の電気的接続によってコネクタ３と相互作用し得る。
【００４５】
一実施形態では、接続手段４は、図２ｂに見られる少なくとも１つのスロット４ａを備える。接続手段４は、スロット４ａから延びる少なくとも１つの楔形の溝４ｂをさらに備える。図５ａおよび図５ｂを参照されたい。溝４ｂは、中心軸線Ｃの方向にテーパとされる。より具体的には、中心軸線Ｃに対して垂直な方向の溝の深さは、スイッチ接点２ｂおよび結局は押しボタン１０から最も遠い部分でその最大となる。すなわち、この楔形は、第２のスイッチ本体部から第１のスイッチ本体部に向かう方向に減少する。
【００４６】
コネクタ３は、フレックス部３ｃにはんだ付けされる少なくとも１つの対応する楔形の凸部３ａを備える。フレックス部補強材３ｄは、スイッチ２に接続されたときにコネクタ３を堅く保持するためにフレックス部３ｃに接続される。一実施形態では、凸部３ａは、楔形の溝４ｂと連結されるように構成される弾性接触ブレードを備える。このようにして、コネクタ／接触ブレード３は、スロット４ａおよび溝４ｂに容易に挿入され、さらに、コネクタ／接触ブレード３がスロット４ａおよび溝４ｂから容易に取り外され得ないように連結され得る。弾性接触ブレードは、打ち抜き金属ブレードから構成されてもよい。スイッチ本体２ａは、打ち抜き金属ブレード上にインサート成形されてもよい。
【００４７】
図６および図７に示されているさらなる実施形態では、接続手段４は、中心軸線Ｃの方向に突出する少なくとも１つのピン４ｃを備える。すなわち、スイッチの中心軸線およびピンの中心軸線は平行に延びる。ピンは、少なくともスイッチ本体２ａの第２の部分を通り、部分的にスイッチ本体２ａの第１の部分内に延びる。ピン４ｃは、スイッチ接点／ドーム２ｂまで延びるように構成され、これにより、スイッチ接点は、上述の電気的接続によってコネクタ３と相互作用し得る。
【００４８】
一実施形態では、ピン４ｃは、増大された断面を有する端部４ｄを備える。ピンは、図７ｂに見られるように、増大された断面を同様に有する反対側に配置されたさらなる端部を備えてもよい。ピン４ｃは、好ましくは、インサート成形された金属ピンを備える。
【００４９】
図６および図８に示されているように、この実施形態は、少なくとも１つの部分的に開口端のスリット３ｂを有するコネクタ３を備える。スリット３ｂは、中心軸線Ｃに対して垂直な方向でピン端部４ｄと解放可能に連結されるのと同時に、中心軸線Ｃの方向ではピン４ｃと解放不可能に連結されるように構成される。すなわち、スリット３ｂは、スリットが逆Ｕ字形状を本質的に有するように、一端に開口部を有する一方で、他端では閉ざされる。スリットの内部は、それがピンの端部４ｄを収容し得るように、より大きい寸法を有する。取り付けられたときにスイッチに面して当接する部分であるスリットの外部は、ピン４ｃのより小さい中央部のみを収容するように適合されたより小さい寸法を有する。言い換えれば、スリットの外部の寸法は、ピン端部４ｄの寸法より小さい。
【００５０】
したがって、スリット３ｂは、スイッチおよびピンの中心軸線に対して垂直な方向でピン４ｃの端部４ｄ上にスライドされるように適合される。スイッチ２／ピン４ｃは、中心軸線Ｃの方向への移動によってコネクタ３／スリット３ｂから分離され得ない。すなわち、一旦スイッチ２およびコネクタ３が接続されたら、スイッチ２／ピン４ｃは、それらをそれぞれ反対の方向に引っ張ることによってコネクタ３／スリット３ｂから取り外され得ない。しかしながら、スイッチ２／ピン４ｃは、スリット３ｂおよびピン４ｃを接続するときに使用される方向とは反対の、スイッチ２およびピン４ｃの中心軸線に対して垂直な方向にコネクタ３／スリット３ｂをスライドさせることによってコネクタ３／スリット３ｂから分離され得る。
【００５１】
図１、図４、図６、および図９は、携帯電話などの電子デバイスに配置されるボタン構造６の実施形態を示す。電子デバイスは、貫通開口部９によって接続された外面８ａおよび内面８ｂを有するハウジング７を備える。ボタン構造６は、押しボタン１０と、上述のスイッチアセンブリ１の実施形態と、を備える。スイッチ２は、前記外面８ａから内面８ｂに向かう方向で貫通開口部９に挿入されるように構成される。コネクタ３は、スイッチアセンブリ１がハウジング７に固定されるようにスイッチ２に接続されるよう構成される。
【００５２】
一実施形態では、コネクタ３は、スイッチ２の中心軸線Ｃに少なくとも部分的に沿って延びるスロット４ａの内側に少なくとも部分的に配置されるように構成される。上述されたように、スイッチは、スロット４ａから延びる少なくとも１つの楔形の溝４ｂをさらに備え得、溝４ｂは、中心軸線Ｃの方向にテーパとされ、
コネクタ３は、少なくとも１つの対応する楔形の凸部３ａを備える。
【００５３】
コネクタ３は、組み立てられたボタン構造６が外面８ａに向かう方向に開口部９から出るのを防止するストッパ手段１１を備え得る。すなわち、ストッパ手段１１は、スロット４ａの寸法より少なくとも部分的に大きい寸法を有する。
【００５４】
上述されたように、スイッチ２には、スイッチ２の外周から突出するクラッシュリブが設けられてもよい。クラッシュリブは、スイッチ２の外部と開口部９の内部との間の締まり嵌めをもたらすように構成される。
【００５５】
さらなる実施形態では、コネクタ３は、内面８ｂに当接して、開口部９の外側に配置されるように構成される。この実施形態は、中心軸線Ｃの方向に突出する少なくとも１つのピン４ｃが設けられるスイッチ２を備える。上述されたように、ピン４ｃは、増大された断面を有する端部４ｄを備え、
コネクタ３は、少なくとも１つの部分的に開口端のスリット３ｂを備える。スリット３ｂは、中心軸線Ｃに対して垂直な方向でピン４ｃと解放可能に連結され、中心軸線Ｃの方向ではピン４ｃと解放不可能に連結されるように構成される。
【００５６】
一実施形態では、ボタン構造６は、内面とコネクタとの間に配置される圧縮手段、例えばガスケットをさらに備える。圧縮手段は、ゴムまたは発泡材料で作製されてもよい。圧縮手段は、内面８ｂとコネクタ３との間で圧縮され、したがって、電子デバイスの内部に向かう内向きの方向において、コネクタ３、したがってスイッチ２に一定の力を与える。
【００５７】
図１および図６は、上述されたボタン構造６を収容するように構成される電子デバイスの実施形態を示す。電子デバイスは、外面８ａおよび内面８ｂを有するハウジング７を備え、面８ａ、８ｂは、貫通開口部９によって接続される。ボタン構造６は、スイッチ２およびコネクタ３を備える。スイッチ２は、貫通開口部９に挿入されるように構成され、コネクタ３は、スイッチ２が貫通開口部９から外の方向への移動によってコネクタ３から分離され得ないようにスイッチ２と連結されるように構成される。
【００５８】
一実施形態では、スイッチ２は、スロット４ａと、スロット４ａから延びる少なくとも１つの楔形の溝４ｂと、を備え、コネクタ３は、楔形の溝４ｂと連結されるように構成される少なくとも１つの弾性接触ブレード３ａを備える。
【００５９】
さらなる実施形態では、スイッチ２は、増大された断面を有する端部４ｄが設けられる少なくとも１つのピン４ｃを備え、コネクタ３は、少なくとも１つの部分的に開口端のスリット３ｂを備える。スリット３ｂは、貫通開口部９に対して垂直な方向でピン端部４ｄと解放可能に連結されるように構成される。
【００６０】
一実施形態では、電子デバイスに、以下のステップによってボタン構造６が設けられる。第１に、押しボタン１０が、スイッチ２に接続される。一実施形態では、これは、スイッチ２の中心軸線Ｃに対して垂直な方向で行われる。第２に、スイッチ２が、外面８ａからの方向で開口部９に挿入される。第３に、コネクタ３が、スイッチ２が開口部９の方向への移動によってコネクタ３から分離され得ないようにスイッチ２に接続される。
【００６１】
一実施形態では、第３のステップは、内面８ｂからの方向でコネクタ３を、スイッチ２内に延びるスロット４ａに挿入することを含み、コネクタ３は、スイッチ２が開口部９から取り外され得ないようにスロット４ａと連結される。
【００６２】
さらなる実施形態では、第３のステップは、コネクタ３が内面８ｂに当接し、ハウジング７からコネクタ３を取り外さなければスイッチ２が開口部９から取り外され得ないように、開口部９に対して垂直な方向で少なくとも１つのスリット３ｂと少なくとも１つのピン４ｃとを連結することを含む。
【００６３】
様々な態様および実施態様が、本明細書の様々な実施形態に関連して説明された。しかしながら、開示された実施形態に対する他の変形例は、図面、本開示、および添付の特許請求の範囲の研究から、特許請求された主題を実施する当業者によって理解および達成され得る。特許請求の範囲において、「備える（ｃｏｍｐｒｉｓｉｎｇ）」という語は、他の要素またはステップを排除せず、不定冠詞「１つの（ａ）」または「１つの（ａｎ）」は、複数を排除しない。特定の手段が相互に異なる従属請求項に記載されているという単なる事実は、これらの手段の組み合わせが好適に使用され得ないことを示すものではない。
【００６４】
特許請求の範囲で使用されている参照符号は、範囲を限定するものと解釈されるべきではない。
【符号の説明】
【００６５】
１  スイッチアセンブリ
２  スイッチ
２ａ  スイッチ本体
２ｂ  スイッチ接点
２ｃ  スイッチ接点カバー
３  コネクタ
３ａ  楔形の凸部
３ｂ  スリット
３ｃ  フレックス部
３ｄ  フレックス部補強材
４  接続手段
４ａ  スロット
４ｂ  楔形の溝
４ｃ  ピン
４ｄ  端部
５  封止手段
６  ボタン構造
７  ハウジング
８ａ  外面
８ｂ  内面
９  貫通開口部
１０  押しボタン
１１  ストッパ手段
Ｃ  中心軸線
【図１（ａ）】
0006871410.tif 000002
【図１（ｂ）】
0006871410.tif 000003
【図１（ｃ）】
0006871410.tif 000004
【図２（ａ）】
0006871410.tif 000005
【図２（ｂ）】
0006871410.tif 000006
【図３】
0006871410.tif 000007
【図４（ａ）】
0006871410.tif 000008
【図４（ｂ）】
0006871410.tif 000009
【図５（ａ）】
0006871410.tif 000010
【図５（ｂ）】
0006871410.tif 000011
【図６】
0006871410.tif 000012
【図７（ａ）】
0006871410.tif 000013
【図７（ｂ）】
0006871410.tif 000014
【図８】
0006871410.tif 000015
【図９】
0006871410.tif 000016